(57)【要約】【課題】筐体の側面部に外方へ向かって開口する端子口を有する電子機器において、接続端子の使用時に端子口の蓋体を回動させて開状態にし、外部の関連機器のコネクタを接続端子へ接続する際の作業性を向上させる。【解決手段】筐体の側面部６に配置されて外方に開口する端子口と、該端子口を開閉可能に覆う蓋体３０とを備え、前記端子口は接続端子２５ａ，２５ｂ，２５ｃが配置された奥壁２１と底壁２２と一対の側壁２３とを有し、蓋体は、底壁に沿って内方及び外方へスライド可能に支持されるスライド支持部３１と、該スライド支持部の外縁部にヒンジ部３２を介して回動可能に支持される蓋本体部３３とを有しており、蓋体の閉状態では、スライド支持部は内方にスライドした初期位置にあり、蓋体を開く際には、スライド支持部が外方へスライドさせられて、ヒンジ部は底壁の外縁部よりも外方に位置している、ことを特徴とする。【選択図】図５Ｅ
2014127677.tif 000002
【特許請求の範囲】
【請求項１】
対向配置された上面部および下面部と、これら両面部の周縁部どうしを結合する側面部と、を外面に有する筐体と、
該筐体の前記側面部に配置され、前記筐体の外方に向かって開口する端子口と、
該端子口を開閉可能に覆う蓋体と、を備え、
前記端子口は、接続端子が配置された奥壁と、該奥壁の底縁部から筐体の外方に向かって広がる底壁と、該底壁の側縁部と前記奥壁の側縁部とを連結する一対の側壁と、を有し、
前記蓋体は、前記底壁に沿って筐体の内方及び外方へスライド可能に支持されるスライド支持部と、該スライド支持部の外縁部にヒンジ部を介して回動可能に支持される蓋本体部と、を有しており、
前記蓋体の閉状態では、前記スライド支持部は内方にスライドした初期位置にあり、前記蓋体を開く際には、前記スライド支持部が外方へスライドさせられて、前記ヒンジ部は前記底壁の外縁部よりも外方に位置している、
ことを特徴とする電子機器。
【請求項２】
前記蓋本体部の外面に沿って端子口の前記奥壁と実質的に平行な方向へスライド可能に配設された蓋カバー体が更に設けられ、
該蓋カバー体の内縁部の近傍に、蓋体の閉状態において前記奥壁の近傍に拘束されるロック部材が設けられており、
前記蓋体を開く際には、前記蓋カバー体が前記奥壁と実質的に平行な方向へスライドさせられることによって、前記ロック部材の前記奥壁の近傍に対する拘束状態が解除される、
ことを特徴とする請求項１に記載の電子装置。
【請求項３】
前記端子口の側壁は、前記蓋体の蓋本体部の回動動作を案内するガイド部を備えている、ことを特徴とする請求項１又は２に記載の電子装置。
【請求項４】
前記蓋本体部は、蓋体の閉状態において端子口の前記奥壁に押圧され、前記接続端子を封止する封止部材を備えている、ことを特徴とする請求項１から３の何れか一に記載の電子装置。
【発明の詳細な説明】
【技術分野】
【０００１】
本開示は、電子機器、特に、筐体の側面部に端子口が設けられた電子機器に関する。
【背景技術】
【０００２】
周知のように、例えばパーソナルコンピュータや情報端末機器などの電子機器、特に、所謂タブレット型やノート型のパーソナルコンピュータ及びタブレット型の携帯情報端末機などの持ち運び可能な電子機器では、外部の関連機器や電源等との接続のための接続端子を備えた端子口が、筐体の側面部に設けられるのが一般的である。
【０００３】
このような端子口は、筐体の側面部にて外方に向かって開口するように形成され、通常、接続端子の不使用時に端子口を閉じる蓋体が付設される。かかる蓋体として、端子口の開口端部に位置するヒンジ部を中心して回動できるように構成され、この回動動作に応じて端子口が開閉されるようにしたものは公知である（例えば、特許文献１参照）。
【先行技術文献】
【特許文献】
【０００４】
【特許文献１】特開２００４−１９１９１７号公報
【発明の概要】
【発明が解決しようとする課題】
【０００５】
しかしながら、上述のように、蓋体を端子口の開口端部に位置するヒンジ部を中心に回動できるようにした場合、端子口や蓋体及びヒンジ部の構造によっては、接続端子の使用時に蓋体を回動させて開状態にする際に、蓋体を端子口の底壁とほぼ面一に連続するまで開くことはできるものの、それ以上に開度が大きくなるように蓋体を回動しようとすれば、蓋体自体が筐体の側面部と干渉する場合も生じ得る。
【０００６】
従って、この場合には、蓋体が端子口の底壁とほぼ面一に連続するように開かれた状態で、外部の関連機器のコネクタを外方から蓋体に沿って挿入し、接続端子への接続作業を行わざるを得ず、一般に作業性が良くないという難点があった。
【０００７】
そこで、本開示は、筐体の側面部に外方へ向かって開口する端子口を有する電子機器において、接続端子の使用時に端子口の蓋体を回動させて開状態にし、外部の関連機器のコネクタを接続端子へ接続する際の作業性を向上させることを基本的な目的としてなされたものである。
【課題を解決するための手段】
【０００８】
このため、本開示における電子機器は、対向配置された上面部および下面部と、これら両面部の周縁部どうしを結合する側面部と、を外面に有する筐体と、該筐体の前記側面部に配置され、前記筐体の外方に向かって開口する端子口と、該端子口を開閉可能に覆う蓋体と、を備え、前記端子口は、接続端子が配置された奥壁と、該奥壁の底縁部から筐体の外方に向かって広がる底壁と、該底壁の側縁部と前記奥壁の側縁部とを連結する一対の側壁と、を有し、前記蓋体は、前記底壁に沿って筐体の内方及び外方へスライド可能に支持されるスライド支持部と、該スライド支持部の外縁部にヒンジ部を介して回動可能に支持される蓋本体部と、を有しており、前記蓋体の閉状態では、前記スライド支持部は内方にスライドした初期位置にあり、前記蓋体を開く際には、前記スライド支持部が外方へスライドさせられて、前記ヒンジ部は前記底壁の外縁部よりも外方に位置している、ことを特徴としたものである。
【発明の効果】
【０００９】
本開示における電子機器によれば、端子口の蓋体を開く際には、外縁部にヒンジ部を介して蓋本体部を支持するスライド支持部を外方へスライドさせて、前記ヒンジ部を端子口の底壁の外縁部よりも外方に位置させることができる。従って、接続端子の使用時に蓋体を回動させて開状態にする際には、蓋体自体が筐体の側面部と干渉することなく、蓋体を端子口の底壁とほぼ面一に連続する状態よりも大きい開度まで回動させて開くことが可能になり、外部の関連機器のコネクタを接続端子へ接続する際の作業性を向上させることができる。
【図面の簡単な説明】
【００１０】
【図１】本開示の実施の形態に係るタブレット端末装置の表示面側を示す斜視図；
【図２】前記タブレット端末装置の平面図；
【図３】前記タブレット端末装置の背面側を示す斜視図；
【図４】前記タブレット端末装置の背面図；
【図５Ａ】前記タブレット端末装置の端子口が蓋体で閉じられた状態を示す斜視図；
【図５Ｂ】前記蓋体がロック解除された状態を示す斜視図；
【図５Ｃ】前記蓋体が回動され開かれた状態を示す斜視図；
【図５Ｄ】前記蓋体のスライド支持部が内方に位置する状態を示す斜視図；
【図５Ｅ】前記スライド支持部が外方へスライドさせられた状態を示す斜視図；
【図６Ａ】前記端子口が蓋体で閉じられた状態を示す側面図；
【図６Ｂ】前記蓋体がロック解除された状態を示す側面図；
【図６Ｃ】前記蓋体が開かれてスライド支持部が内方に位置する状態を示す側面図；
【図６Ｄ】前記蓋体が水平状態よりも大きい開度に開かれた状態を示す側面図。
【発明を実施するための形態】
【００１１】
本開示における電子機器は、上述の構成を基本として、以下のような態様をとることができる。すなわち、前記蓋本体部の外面に沿って端子口の前記奥壁と実質的に平行な方向へスライド可能に配設された蓋カバー体が更に設けられ、該蓋カバー体の内縁部の近傍に、蓋体の閉状態において前記奥壁の近傍に拘束されるロック部材が設けられており、前記蓋体を開く際には、前記蓋カバー体が前記奥壁と実質的に平行な方向へスライドさせられることにより、前記ロック部材の前記奥壁の近傍に対する拘束状態が解除される、ようにしてもよい。
【００１２】
この構成によれば、蓋体が閉じられた状態で蓋カバー体のロック部材が端子口の奥壁の近傍に拘束されることにより、蓋体を端子口に対して確実に閉状態に保つことができる。
【００１３】
また、以上の場合において、前記端子口の側壁は、前記蓋体の蓋本体部の回動動作を案内するガイド部を備えている、ようにしてもよい。
【００１４】
この構成によれば、開かれた蓋体を回動操作して端子口に対して閉じる際には、蓋本体部の回動動作が前記ガイド部によって案内されるので、蓋体を端子口に対してよりスムースに閉じることができる。
【００１５】
更に、以上の場合において、前記蓋本体部は、蓋体の閉状態において端子口の前記奥壁に押圧され、前記接続端子を封止する封止部材を備えている、ようにしてもよい。
【００１６】
この構成では、蓋体が閉じられた状態において、接続端子が設けられた端子口の奥壁部分に、水などの液体や塵埃などが侵入することをより確実に防止して、接続端子を有効に保護することができる。
【００１７】
＜実施の形態＞
以下、適宜、図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、発明者（ら）は、当業者が本開示を十分に理解するために添付図面および以下の説明を提供するのであって、これらによって特許請求の範囲に記載の主題を限定することを意図するものではない。
【００１８】
また、以下の説明では、特定の方向を意味する用語（例えば、「上」、「下」、「左」、「右」、およびそれらを含む他の用語、「時計回り方向」、「反時計回り方向」）を使用する場合があるが、それらの使用は図面を参照した開示の理解を容易にするためであって、それらの用語の意味によって本開示は限定的に解釈されるべきものではない。
【００１９】
以下に説明する本開示の実施の形態は、所謂タブレット型の持ち運び可能な情報端末装置（以下、適宜、「タブレット端末装置」、若しくは単に「装置」と略称する）に適用した場合を例にとったものである。
【００２０】
図１及び図２は、本実施の形態に係る電子機器としてのタブレット端末装置の表示面側を示す斜視図及び平面図、また、図３及び図４は、前記タブレット端末装置の背面側を示す斜視図及び平面図である。
これらの図に示すように、本実施の形態に係るタブレット端末装置Ｗは、平面視で略四角形状に形成され所定の厚さ（高さ）を有する筐体１を備えている。この筐体１は、上下に対向配置された上面部２および下面部４と、これら両面部２，４の周縁部どうしを結合する側面部６と、を外面に有している。前記側面部６は、２組の対向配置された実質的に平坦な面を主要部として構成されている。
【００２１】
また、前記筐体１では、四角形状の各角部が、筐体１の外方へ向かって膨出する膨出部８で構成されている。本実施形態では、これら膨出部８は、例えば曲面状に膨出している。筐体１の主要部分は、機械的剛性等の確保のために、例えばマグネシウム（Ｍｇ）等の金属材料を用いて製作されているが、前記４箇所の膨出部８については、筐体１の材料よりも弾性の高い、例えばエラストマで製作されている。これら膨出部８は、Ｍｇ製筐体１の各角部に装着され、例えば、ネジ部材８ｎを用いて筐体１に対し固定されている。
【００２２】
前記筐体１の上面部２には、例えば液晶を用いた表示画面２ｃが配置されている。この表示画面２ｃは、例えば、タッチパネル式の入力画面としても用いられる。一方、筐体１の下面部４（背面側）には、携帯電源としての電池パック１１が装着されている。電池パック１０は、所定の厚さを有し、平面視で略四角形状に形成されている。
【００２３】
本実施形態では、前記タブレット端末装置Ｗの筐体１の側面部６の所定箇所に、外部の関連機器（不図示）との接続のための接続端子を備えた端子口２０が設けられている。
以下、この端子口２０の構造等について、図５Ａ〜５Ｄ及び図６Ａ〜６Ｄを参照しながら説明する。図５Ａ〜５Ｄは、前記端子口２０及びその蓋体３０を説明するための一連の斜視図であり、図６Ａ〜６Ｄは、前記端子口２０及びその蓋体３０を説明するための一連の側面図である。
【００２４】
図５Ｃ〜５Ｅに示されるように、前記筐体１の側面部６の所定箇所に配置された端子口２０は、筐体１の外方に向かって開口しており、その開口を開閉可能に覆う蓋体３０が備えられている。前記端子口２０は、例えば複数の（本実施形態では３つの）接続端子２５ａ，２５ｂ，２５ｃが配置された奥壁２１と、該奥壁２１の底縁部から筐体１の外方に向かって広がる底壁２２と、該底壁２２の側縁部と前記奥壁２１の側縁部とを連結する一対の側壁２３と、を有している。
【００２５】
また、前記蓋体３０は、端子口２０の前記底壁２２に沿って筐体１の内方及び外方へスライド可能に支持されるスライド支持板３１と、該スライド支持板３１の外縁部にヒンジ部３２を介して回動可能に支持される蓋本体部３３と、を備えている。これらスライド支持板３１，ヒンジ部３２及び蓋本体部３３は、例えば、合成樹脂製で一体に成形されている。スライド支持板３１には、筐体１の内方及び外方へ伸長する例えば一対の長孔３１ｈが形成されており、これら長孔３１ｈ，３１ｈが端子口２０の底壁２２上に突設されたガイド突起２２ｇ，２２ｇに係合している。
【００２６】
蓋体３０に（従って、スライド支持板３１に）外方または内方への力が加えられたときには、前記長孔３１ｈ，３１ｈがガイド突起２２ｈ，２２ｈに案内されながら、スライド支持板３１が底壁２２に沿って筐体１の外方または内方へスライドできるようになっている。蓋体３０の閉状態では、前記スライド支持板３１は内方にスライドした初期位置にある（図５Ｄ参照）。そして、蓋体３０が開かれる際には、スライド支持板３１が前記長孔３１ｈ，３１ｈの長さに応じて外方へスライドさせられる（図５Ｅ参照）。その結果、スライド支持板３１の外縁部に設けられた前記ヒンジ部３２は、端子口２０の前記底壁２２の外縁部よりも外方に位置することになる。
【００２７】
前記蓋本体部３３は、蓋体３０の閉状態で端子口２０の奥壁２１に対面する側が開口した直方体状のボックス体として形成されている。このボックス体３３の内部には、蓋体３０の閉状態において端子口２０の前記奥壁２１に押圧されて、前記接続端子２５ａ，２５ｂ，２５ｃを封止するために、例えばゴム製の封止部材３５（シール部材）が装着されている。
かかるシール部材３５を蓋体３０に設けたことにより、蓋体３０が閉じられた状態において、接続端子２５ａ，２５ｂ，２５ｃが設けられた端子口２０の奥壁２１部分に、水などの液体や塵埃などが侵入することをより確実に防止して、接続端子２５ａ，２５ｂ，２５ｃを有効に保護することができる。
【００２８】
また、蓋体３０には、当該蓋体３０の閉状態で、前記蓋本体部３３の外面に沿って端子口２０の前記奥壁２１と実質的に平行な方向へスライド可能に配設された蓋カバー体３４が設けられている。この蓋カバー３４の外面には、ユーザが蓋体３０を開閉操作する際に使用される操作用凹所３４ｂが形成されている(図５Ａ，５Ｂ参照)。また、蓋カバー体３４の内縁部の近傍には、蓋体３０の閉状態において前記奥壁２１の近傍に拘束（ロック）される一対のロック部３４ａが突設されている。一方、端子口２０の前記奥壁２１の上縁の水平部分２４には、蓋体３０の閉状態において前記ロック部３４ａ，３４ａに係合して該ロック部３４ａ，３４ａを拘束する一対の係合孔２４ａ，２４ａが設けられている。
【００２９】
そして、閉状態にある前記蓋体３０を開く際には、蓋カバー体３４が前記奥壁２１と実質的に平行な方向（つまり、図５Ａ，５Ｂ及び図６Ａ，６Ｂにおける上方へ）へスライドさせられることによって、前記ロック部３４ａ，３４ａの前記奥壁２１の近傍に対するロック状態が解除されるようになっている。この蓋カバー体３４の上方へのスライド動作を案内するために、図６Ａ〜６Ｄに示すように、蓋カバー体３４の側面に長溝３４ｈが形成され、蓋本体部３３の側面には前記長溝３４ｈに係合して該長溝３４ｈの長手方向にスライドするガイド片３３ｈが設けられている。
このように、蓋体３０が閉じられた状態で蓋カバー体３４のロック部３４ａ，３４ａが端子口２０の奥壁２１の近傍（係合孔２４ａ，２４ａ）にロックされることにより、蓋体３０を端子口２０に対して確実に閉状態に保つことができる。
【００３０】
また、端子口２０の前記側壁２３，２３には、蓋体３０を回動操作する際に蓋本体部３３の回動動作を案内するためのガイド部２３ｇ，２３ｇが設けられている（図５Ａ〜５Ｃに片側のみ図示）。このガイド部２３ｇ，２３ｇは、側壁２３，２３から端子口２０の開口の内側に隆起して設けられており、そのガイド縁部（上縁部分）が円弧の一部を構成している。一方、蓋本体部３３の側面には、前記ガイド部２３ｇ，２３ｇに対応する被ガイド凸部３３ｇ，３３ｇが設けられている（図６Ａ〜６Ｄに片側のみ図示）。この被ガイド凸部３３ｇ，３３ｇは、蓋本体部３３の側面に突設されており、蓋体３０が回動する際には、被ガイド凸部３３ｇ，３３ｇの側縁部が前記ガイド部２３ｇ，２３ｇの上縁部の円弧に沿って案内されるように構成されている。
【００３１】
このように、端子口２０の側壁２３，２３に前記ガイド部２３ｇ，２３ｇを設け、蓋本体部３３の側面に前記被ガイド部３３ｇ，３３ｇを設けたことにより、開かれた蓋体３０を回動操作して端子口２０に対して閉じる際には、蓋本体部３３の回動動作が前記ガイド部２３ｇ，２３ｇによって案内されるので、蓋体３０のヒンジ部３２が端子口２０の底壁２２の外縁部よりも外方に位置するまで引き出された場合でも、蓋体３０を端子口２２０に対してよりスムースに閉じることができる。
【００３２】
以上の構成において、閉状態にある蓋体３０を回動させて端子口２０を開く動作について、図５Ａ〜５Ｅ及び図６Ａ〜６Ｄを参照しながら、順を追って説明する。
蓋体３０が閉じられている状態では、図５Ａ及び図６Ａに示されるように、蓋カバー体３４のロック部３４ａ，３４ａが端子口２０の奥壁２１の近傍（係合孔２４ａ，２４ａ）にロックされることにより、蓋体３０を端子口２０に対して確実に閉状態に保たれている。
【００３３】
この閉状態から蓋体３０を開く際には、図５Ｂ及び図６Ｂに示されるように、蓋カバー体３４の操作用凹所３４ｂに指を掛けて、図６Ｂの矢印Ｆｂ方向に蓋体３０を持ち上げる。これにより、蓋カバー体３４のロック部３４ａ，３４ａが端子口２０の奥壁２１近傍の係合孔２４ａ，２４ａから抜脱されて蓋体３０のロック状態が解除される。
【００３４】
次いで、図５Ｃ及び図６Ｃに示されるように、蓋体３０を図６Ｃの矢印Ｆｃ方向に略９０度回動させる。これにより、端子口２０が開放され、蓋体３０が端子口２０の底壁２１と略面一になるまで開かれる。このとき、蓋体３０のスライド支持板３１は、端子口２０の底壁２１上で内方の初期位置にある（図５Ｄ参照）。
【００３５】
その後、若しくは蓋体３０の回動動作に伴って、蓋体３０を外方へ引き出すことにより、スライド支持板３１が長孔３１ｈ，３１ｈの長さに応じて外方へスライドさせられる（図５Ｅ参照）。その結果、スライド支持板３１の外縁部に設けられた前記ヒンジ部３２は、端子口２０の前記底壁２２の外縁部よりも外方に位置することになる。
【００３６】
これにより、この状態から更に蓋体３０を図６Ｄの矢印Ｆｄ方向に略９０度回動させることができる。従って、接続端子２５ａ，２５ｂ，２５ｃの使用時に蓋体３０を回動させて開状態にする際には、蓋体３０自体が筐体１の側面部６と干渉することなく、蓋体３０を端子口２０の底壁２２とほぼ面一に連続する状態よりも大きい開度まで回動させて開くことができ、外部の関連機器のコネクタ（不図示）を接続端子２５ａ，２５ｂ，２５ｃへ接続する際の作業性を向上させることができるのである。
【００３７】
以上のように、本開示における技術の例示として、実施の形態を説明した。そのために、添付図面および詳細な説明を提供した。
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００３８】
上述の実施の形態は、所謂タブレット端末装置に適用した場合を例にとって示したものであったが、本開示における電子機器は、かかる場合に限定されるものではなく、他の種々の電子機器として有効に適用し得るものである。
【００３９】
このように、上述の実施の形態は、本開示における技術を例示するためのものであるから、特許請求の範囲またはその均等の範囲において種々の変更、置き換え、付加、省略などを行うことができる。
【産業上の利用可能性】
【００４０】
本開示は、筐体の側面部に端子口が設けられた電子機器に適用可能である。
【符号の説明】
【００４１】
１  筐体
６  側面部
８  膨出部
２０  端子口
２１  奥壁
２２  底壁
２３  側壁
２３ｇ  ガイド部
２５ａ，２５ｂ，２５ｃ  接続端子
３０  蓋体
３１  スライド支持板
３２  ヒンジ部
３３  蓋本体部
３４  蓋カバー体
３４ａ  ロック部
３５  シール部材（封止部材）
Ｗ  タブレット端末装置
【図１】
2014127677.tif 000003
【図２】
2014127677.tif 000004
【図３】
2014127677.tif 000005
【図４】
2014127677.tif 000006
【図５Ａ】
2014127677.tif 000007
【図５Ｂ】
2014127677.tif 000008
【図５Ｃ】
2014127677.tif 000009
【図５Ｄ】
2014127677.tif 000010
【図５Ｅ】
2014127677.tif 000011
【図６Ａ】
2014127677.tif 000012
【図６Ｂ】
2014127677.tif 000013
【図６Ｃ】
2014127677.tif 000014
【図６Ｄ】
2014127677.tif 000015